(57)【特許請求の範囲】
【請求項１】
紙面にカラー印刷された原稿をデジタル入力して得られる入力画像に対して、裏写りや敷き写りを軽減するカラー画像処理方法において、前記入力画像の画素周辺の特定の参照範囲内の情報のみを用いて、この画素に対する裏写り補正処理された結果を１次補正結果として保持し、この１次補正結果を、この画素以降の裏写り補正処理に用いることにより、画像全体にわたる繰り返し処理をせずに裏写りや敷き写りを選択的に軽減することを特徴とするカラー画像処理方法。
【請求項２】
請求項１に記載のカラー画像処理方法において、更に、前記１次補正結果の特定の参照範囲に対して裏写り補正処理を施し、この裏写り補正処理を局所的に繰り返して高次の補正結果を得て、これらの補正結果から最終的な裏写り補正した画像を得るようにしたことを特徴とするカラー画像処理方法。
【請求項３】
請求項１または２に記載のカラー画像処理方法において、前記入力画像から得られた情報により、網点領域と判断される領域のみを参照範囲として、裏写り補正処理を施すことを特徴とするカラー画像処理方法。
【請求項４】
請求項１または２に記載のカラー画像処理方法において、前記入力画像の網点面積率が一定範囲にある網点領域のみを参照範囲として、裏写り補正処理を施すことを特徴とするカラー画像処理方法。
【請求項５】
紙面にカラー印刷された原稿をデジタル入力して得られる入力画像に対して、裏写りや敷き写りを軽減するカラー画像処理装置において、前記入力画像の画素周辺の特定の参照範囲内の情報のみを用いて、この画素に対する裏写り補正処理を行って１次補正結果として保持し、この１次補正結果の特定の参照範囲に対して裏写り補正処理を施し、この裏写り補正処理を局所的に繰り返して高次の補正結果として保持する裏写り補正出力部と、これらの補正結果と前記入力画像とから最終的な裏写り補正された出力画像を合成する合成処理部とを備え、画像全体にわたる繰り返し処理をせずに裏写りや敷き写りを選択的に軽減することを特徴とするカラー画像処理装置。
【請求項６】
コンピュータに、請求項１乃至４のいずれか１つに記載のカラー画像処理方法を実行させるためのプログラム。
【請求項７】
請求項６に記載のカラー画像処理プログラムを記録したコンピュータ読み取り可能な記録媒体。
【発明の詳細な説明】
【０００１】
【発明の属する技術分野】
本発明は、カラー画像処理方法、カラー画像処理装置、カラー画像処理方法を実行させるためのプログラムおよびそのプログラムを記録したコンピュータ読み取り可能な記録媒体に関し、より詳細には、デジタルカラー画像処理において裏写りや敷き写りを軽減する技術に関し、特に、カラー複写機、カラープリンタ、カラーファクシミリ等のカラー画像形成装置に応用して好適である。
【０００２】
【従来の技術】
スキャナ、デジタルカメラ、デジタル複写機等の画像入力装置の普及により、本、雑誌、カタログ、広告、新聞等の紙媒体の文書画像も、カラー入力されるのが一般的になってきている。
これらの画像入力装置を用いて入力する場合、文書が透過率の高い薄い用紙の両面に印刷されているときには裏面の画像が透けて、表面の画像の中に混ざって入力される「裏写り」が生じてしまう。
さらに、カラー文書の場合、背景色が一様でなかったり、絵柄、模様、写真が混在していることが多い。
例えば、図７のように、橙色の表面画像に、青色の画像の上に黒色の画像が載っている裏面画像が裏写りしている。
【０００３】
このため、デジタル画像処理によって、入力された画像から「裏写り」を除去する問題は、画質向上のために重要でありながら、取り扱いの難しいものとされてきた。
このような裏写りを解消するための技術の大半は、文書の両面をスキャナ等でデジタルデータとして取り込み、表裏両面のマッチングを採ることで裏写り成分を検出して、その検出部分の輝度や色を補正することによって裏写りを軽減している（例えば、特開平５−２２５７２号公報、特開平６−６２２１６号公報、特開平８−２６５５６３号公報、特開平９−２３３３１９号公報、特開平９−３１２７７０号公報、特開平１０−２６２１４７号公報、特開２０００−２２９４６号公報、特開２０００−９２３２４号公報、特開２０００−１８８６６８号公報、特開２０００−５９５６９号公報、特開２０００−１３４４１９号公報等参照）。
この技術では、表裏の画像をマッチングするため、非線型の位置ずれ問題や紙の透過率計算問題等がある。
【０００４】
また、圧板の反射率を低く押さえて、片面の画像から裏写り成分を軽減する方法（例えば、特開平１１−２９８６９４号公報参照）では、出力すると原稿部以外の領域が暗く出てしまうという問題がある。
また、透過率測定装置を別個に設けて、その測定結果により原稿の露光を調節して、片面の画像から裏写りを軽減する方法（例えば、特開２０００−１３７３５５号公報参照）では、透過率測定装置が必要となり、露光の調整で画像を補正するため、デジタルデータには直接適用できず、汎用性が低い。
このデジタルデータに直接適用できない点は、特開平１１−２９８６９４号公報の技術も同様であり、ネットワーク環境が普及しつつある今日では問題となってくる。
【０００５】
また、圧板等の機械的な工夫なしに片面の画像から裏写り成分を検出・軽減する方法が提案されている（例えば、特開平７−３０７５７号公報、特開平１０−６５９２１号公報、特開平１０−２５７３２５号公報、特開平１１−１８７２６６号公報等参照）。これらの方法は、いずれも画像の濃度ヒストグラムを予め用意した評価関数の値により、画像濃度分布を適応的に変化させるものである。
【０００６】
また、１枚の画像のみを入力画像とし、画像全体に対するヒストグラムを用いずに、中間調領域の裏写りのみならず、裏面に高彩度領域がある場合でも裏写りを軽減する方法（例えば、特開２００１−１６９０８０号公報参照）では、主に、入力画像から抽出されたエッジ情報により裏写りと前景画像を分離し、裏写り領域を選択的に補正している。
【０００７】
【発明が解決しようとする課題】
上述のように、両面の画像をスキャナなどで読み取ることで裏写りを補正する方法では、スキャナで両面の画像を読み込むため、装置が大型化し、かつ専用のハードウェアを必要とし、特別な操作が必要であり、汎用性が低かった。
【０００８】
また、片面の情報から裏写りを補正する方法では、原稿の輝度のヒストグラムの分布からノイズ除去の閾値を決定することにより、通常の画像のみならず汚れの多い画像にも対応することをねらっているが、画像全体のヒストグラムが予め必要となることに加え、ノイズを除去する閾値を適応的に変化させるだけであるから、例えば、中間調領域に生じた裏写りに対しては、中間調ごと除去するか、そのまま裏写りが残るかのいずれかになってしまい、前景の中間調部分の再現と裏写り補正とが両立するものではなかった。
【０００９】
また、特開２００１−１６９０８０号公報では、補正できる裏写りの大きさは参照範囲の大きさに依存する傾向が強いため広い範囲の裏写りを処理する場合、処理を複数回画像全体に対して繰り返す必要があった。
このような方法は、画像全体に対してランダムにアクセス可能な場合には問題となりづらいが、一回性の強い処理、例えば逐次処理には不適当である。
【００１０】
また、上述の従来の技術でも、画像全体に対する繰り返し処理や画像全体のヒストグラムの作成を前提としているため、逐次処理による実装が困難であった。
【００１１】
本発明は、上述の実情を考慮してなされたものであって、スキャナ等で原稿の片面だけの画像を読み込み、その片面の画像から逐次処理で広い範囲の裏写りを処理することができるカラー画像処理方法、カラー画像処理装置、カラー画像処理方法を実行させるためのプログラムおよびそのプログラムを記録したコンピュータ読み取り可能な記録媒体を提供することを目的とする。
【００１２】
【課題を解決するための手段】
上記の課題を解決するために、本発明の請求項１のカラー画像処理方法は、紙面にカラー印刷された原稿をデジタル入力して得られる入力画像に対して、裏写りや敷き写りを軽減するカラー画像処理方法において、前記入力画像の画素周辺の特定の参照範囲内の情報のみを用いて、この画素に対する裏写り補正処理された結果を１次補正結果として保持し、この１次補正結果を、この画素以降の裏写り補正処理に用いることにより、画像全体にわたる繰り返し処理をせずに裏写りや敷き写りを選択的に軽減することを特徴とする。
また、本発明の請求項２は、請求項１に記載のカラー画像処理方法において、更に、前記１次補正結果の特定の参照範囲に対して裏写り補正処理を施し、この裏写り補正処理を局所的に繰り返して高次の補正結果を得て、これらの補正結果から最終的な裏写り補正した画像を得るようにしたことを特徴とする。
また、本発明の請求項３は、請求項１または２に記載のカラー画像処理方法において、前記入力画像から得られた情報により、網点領域と判断される領域のみを参照範囲として、裏写り補正処理を施すことを特徴とする。
また、本発明の請求項４は、請求項１または２に記載のカラー画像処理方法において、前記入力画像の網点面積率が一定範囲にある網点領域のみを参照範囲として、裏写り補正処理を施すことを特徴とする。
【００１３】
また、本発明の請求項５のカラー画像処理装置は、紙面にカラー印刷された原稿をデジタル入力して得られる入力画像に対して、裏写りや敷き写りを軽減するカラー画像処理装置において、前記入力画像の画素周辺の特定の参照範囲内の情報のみを用いて、この画素に対する裏写り補正処理を行って１次補正結果として保持し、この１次補正結果の特定の参照範囲に対して裏写り補正処理を施し、この裏写り補正処理を局所的に繰り返して高次の補正結果として保持する裏写り補正出力部と、これらの補正結果と前記入力画像とから最終的な裏写り補正された出力画像を合成する合成処理部とを備え、画像全体にわたる繰り返し処理をせずに裏写りや敷き写りを選択的に軽減することを特徴とする。
また、本発明の請求項６のプログラムは、コンピュータに、請求項１乃至４のいずれか１つに記載のカラー画像処理方法を実行させるためのプログラムである。
また、本発明の請求項７の記録媒体は、請求項６に記載のカラー画像処理プログラムを記録したコンピュータ読み取り可能な記録媒体である。
【００１４】
以上のような構成により、従来よりも広い裏写りを補正することができる。
また、複数階層の裏写りを正確に補正することができる。
また、高次の補正結果における１画素は、その周囲の情報も含んでいるため、単純に参照範囲を広げるよりも、実装効率が向上する。
【００１５】
【発明の実施の形態】
以下、図面を参照して、本発明の一実施形態について説明する。
図１は、本発明の一実施形態におけるカラー画像処理装置が適用されたデジタルカラー複写機の構成を示すブロック図である。
図１において、カラー画像処理装置は、少なくとも画像入力部１０、前処理部２０、画像処理部３０、後処理部４０、画像出力部５０から構成されている。
【００１６】
画像入力部１０は、ＣＣＤ（Charged Coupled Device）素子を用いて、原稿を読み取り、Ａ／Ｄ変換した後、読み取られた画素ごとにＲ（レッド）、Ｇ（グリーン）、Ｂ（ブルー）の３色の画像信号として画像データを出力する。また、画像入力部１０では、各ＣＣＤ素子から得られた画像信号にシェーディング補正やγ補正などの処理も行う。
【００１７】
前処理部２０は、画像入力部１０で入力された画像データに対して、平滑化参照範囲内の画素値の平均値または適当な間引き等を行って平滑化を行い、ＲＧＢ色空間からＬａｂ色空間などに色空間変換を施し、後段の処理で色特徴量の抽出がしやすいようにする。入力された画像の種類によっては、この処理を省いてもよい。
【００１８】
画像処理部３０は、前処理された画像データに裏写り補正処理を施し、その結果の画像データに対して、孤立点除去や色補正、モアレ低減等の一般的な画像処理を行う。
この裏写り補正処理には、１画素ごとに処理対象の画素が裏写り領域に含まれるかの判断と補正された画素値を算出できる方法であれば、この裏写り検出および補正処理を特に限定するものではない。
【００１９】
後処理部４０は、画像処理部３０で処理された画像データに色補正を施し、その結果に対して墨生成、下色除去を行い、出力装置の特性に合わせてγ変換し、ディザ処理や誤差拡散法によって画像の中間調を再現するように画像データを処理する。
画像出力部５０は、後処理部４０から出力された画像データにしたがって駆動し、画像をカラー出力装置へ出力する。
【００２０】
次に、図２を用いて、本発明における画像処理部３０の裏写り補正処理についての処理概要を説明する。
以下簡単のため、入力された画像をＩ、現在の処理対象となるターゲット画素をＴ、ターゲット画素周辺に設定された参照範囲をＷ０（入力画像Ｉの範囲）と呼ぶことにする。
【００２１】
（手順１）
参照範囲Ｗ０から得られる情報を基に、ターゲット画素Ｔが裏写り領域に含まれるか否かを判断し、裏写り領域に含まれる場合にはその裏写りを補正した結果を得る（図２（Ａ））。この補正を「１次補正」と呼び、その補正した結果を「１次補正結果（Ｒ１）」と呼ぶ。
この判断と補正結果の算出には、例えば、特開２００１−１６９０８０号公報による方式を用いてもよいが、１画素ごとに上記判断と補正された画素値を算出できる方式であれば、特に限定されない。
【００２２】
（手順２）
１次補正結果を、予め与えた参照範囲Ｗ１についてバッファへ保持する（図２（Ｂ））。
この参照範囲Ｗ１は、例えばＷ０と同じ大きさに設定してもよいが、一般にラスタースキャンと呼ばれる走査方式では、参照範囲Ｗ０の情報を用いてターゲット画素Ｔが算出されるため、ターゲット画素Ｔよりも先の部分の参照範囲Ｗ１は定義されない。
【００２３】
（手順３）
上記の参照範囲Ｗ１のバッファに保持している１次補正結果から得られる情報を用いて、ターゲット画素Ｔに関して、再度裏写り補正結果を算出する（図２（Ｃ））。このとき算出される結果を「２次補正結果（Ｒ２）」と呼ぶ。
この２次補正結果Ｒ２を得るための裏写り補正処理方法およびその処理に必要なパラメータは、手順１のときの方法およびパラメータと同一であってもよいし、それぞれに適した方法および値に設定しておくことも可能である。
【００２４】
以下（手順１）から（手順３）を繰り返し適用することで、「３次補正結果（Ｒ３）」、「４次補正結果（Ｒ４）」…と、より高次の補正結果を得ることができる。
【００２５】
次に、上で算出されたいくつかの補正結果の中から、ターゲット画素Ｔを置き換える最適な出力を選ぶ。例えば、次のような選択方法がある。
（１）ターゲット画素Ｔに関して算出されたすべての補正結果のうちで、最も明るくなる補正結果を選択する。これは最も簡単な実装である。
（２）１次補正結果と２次補正結果の値が、予め与えた閾値よりも小さくなる場合にのみ、２次補正結果を選択する。
（３）各補正結果を算出するための参照範囲内で、それぞれ分散等のばらつきを表す指標を計算し、最もばらつきの小さい参照範囲から算出された補正結果を選択する。
【００２６】
従来の手法では１次補正結果のみを用いていたため、参照範囲を大きく超えるような裏写りは完全に補正することが難しかったが、本発明のように２次補正結果以降の高次の補正結果を用いることによって、次のような効果がある。
（１）従来よりも広い裏写りを補正することができる。
（２）複数階層の裏写りを正確に補正することができる。
（３）高次の補正結果における１画素は、その周囲の情報も含んでいるため、単純に参照範囲を広げるよりも、実装効率が向上する。
【００２７】
以下、本発明の説明を簡単にするために３次補正結果までを用いるが、４次以降の高次の補正結果を用いて構成してもよい。
図３は、本発明の裏写り補正処理の処理手順を説明するためのフローチャートである。
【００２８】
スキャナ等の画像入力装置によりデジタルデータとして読み込み、スキャナγ補正などの処理を施す。この入力した画像データに対して、平滑化参照範囲内の画素値の平均値または適当な間引き等を行って平滑化を行い、ＲＧＢ色空間からＬａｂ色空間などに色空間変換を施し、後段の処理で色特徴量の抽出がしやすいようにする（ステップＳ１）。
この入力画像から文字や写真などの「原稿の前面に印刷されている内容」で明らかに前景画像と判断できる画像を抽出し、後段の補正処理から保護する（ステップＳ２）。この前景抽出・保護については、図４の説明で後述する。
【００２９】
次に、入力画像全体（但し、前景として保護された領域は対象外とする）を参照範囲Ｗ０として、その参照範囲に対して裏写り補正（１次補正）を行う（ステップＳ３）。
以下の説明では、参照範囲を入力画像全体として説明するが、入力画像から得られた情報により、網点領域と判断される領域を参照範囲に限定して裏写り補正処理を施すようにしてもよい。また、入力画像の網点面積率がある一定範囲である網点領域のみを参照範囲に限定して裏写り補正処理を施すようにしてもよい。
【００３０】
この裏写り補正方法には、例えば、次のような補正方法がある。
（１）参照範囲内（例えばＷ０）の最も明るい色（以下、最明色と呼ぶ）を抽出し、処理対象の画素（ターゲット）をこの最明色で置き換える方法でも、ある程度の裏写り補正性能が得られる。
（２）参照範囲内の画素をいくつかのクラスに分類し、このクラスを代表する色（以下、代表色と呼ぶ）でターゲット画素を置き換える方法も有効である。この様な統計的なアプローチを用いた場合には、参照範囲内の画素値のばらつきを示す指標（例えば分散など）を用いて、裏写り補正を施すか否かを先に決定するようにしてもよい。
また、参照範囲内に、ある割合以上の前景画素が含まれる場合には、画素(i,j)の補正を行わないようにすることで、前景保護をより徹底することができる。この裏写り補正処理については、簡単な（１）の方法をもとにした処理手順を図５を用いて後述する。
【００３１】
次に、ステップＳ３で求めた裏写り補正は、誤った補正を施す可能性があるため、裏写り補正直後に補正内容を検証し、修正する（ステップＳ４）。
この補正内容の検証と修正は、裏写り補正処理で補正値を計算した直後に行うようにしてもよい。
この検証は、例えば、もともとの処理対象の画素値（ターゲット）とステップＳ３で求めた裏写り補正後の画素値とを比較し、その差が所定の閾値以上であれば誤補正と判断する。この所定の閾値は、裏写り補正の強度を決めるパラメータであるから、予め統計的に算出しておくことが望ましいが、ユーザの希望処理強度をもとに設定してもよい。
この裏写り補正が終了した後に、補正後の画像（１次補正結果）をバッファに保存しておく。
【００３２】
次に、このバッファに保存した補正結果に対して、参照範囲Ｗ１（図２参照）を設定し、ステップＳ３の裏写り補正と同様に、最明色を抽出し、ターゲット画素をその最明色で置き換え（ステップＳ５）、誤補正の検証を行って２次補正結果をバッファへ保存する（ステップＳ６）。
更に、バッファに保存された２次補正結果を用いて、同様に３次補正結果をバッファへ保存する（ステップＳ７，Ｓ８）。
【００３３】
最後に、今までに算出し、バッファへ保存してある１次補正結果、２次補正結果、３次補正結果、および、これらのもとになった「色空間変換や平滑化等を施された入力画像」を用いて、最終的な出力画像を合成する（ステップＳ９）。
この出力画像を合成するには、各画素に対して、次のいずれかによって選択した値を設定する。
【００３４】
（１）１次補正結果、２次補正結果、３次補正結果と、これらの元になった「色空間変換や平滑化を施された入力画像」のうちで、最も明るい色を選択する。これは最も簡単な実装である。
（２）１次補正結果と２次補正結果の値が、予め与えた閾値よりも小さくなる場合にのみ、２次補正結果を選択する。
（３）１次補正結果、２次補正結果、３次補正結果と、これらの元になった「色空間変換や平滑化等を施された入力画像」それぞれに対して設定されている参照範囲（Ｗ０、Ｗ１、Ｗ２・・・）の内部で、それぞれ分散等のばらつきを示す指標を計算し、最もばらつきの少ない参照範囲から算出された補正結果を選択する。この方法がより精度の高い方法である。
【００３５】
図４は、入力画像から前景を抽出する処理手順を説明するフローチャートである。
入力画像からスキャン順の先頭画素を取り出し、画素(i,j)とする（ステップＳ１１）。
スキャナの特性などの情報をもとに、画素(i,j)における輝度値（ｌｕｍ）を算出する（ステップＳ１２）。
エッジを算出するために、画素(i,j)周辺の画素値を１次近傍として保持する（ステップＳ１３）。
画素(i,j)のエッジ量（ｅｄｇｅ）を算出する（ステップＳ１４）。
【００３６】
これらの輝度値（ｌｕｍ）およびエッジ量（ｅｄｇｅ）とから、画素(i,j)が前景にあるのか、または非前景であるのかを判断する（ステップＳ１５）。
前景画像の特徴として、例えば、文字などは強いエッジ強度を示すから、エッジ量が所定の閾値より大きいときには前景の画素であると判断する。
また、スキャナの特性などの情報をもとに、画素値や輝度値をも併せて判断することによって、より正確に前景画素であることを判別することができる。
【００３７】
すべての画素を処理した場合には、終了する（ステップＳ１６のＹｅｓ）。
まだ処理する画素が存在する場合には（ステップＳ１６のＮｏ）、スキャン順の次の画素を画素(i,j)として、ステップＳ１２から繰り返す（ステップＳ１７）。
【００３８】
図５は、参照範囲内における裏写り補正処理の処理手順を説明するフローチャートである。
入力画像からスキャン順の先頭画素を取り出し、画素(i,j)とする（ステップＳ２１）。
画素(i,j)周辺の参照範囲の画素値を一時的に保持する（ステップＳ２２）。この参照範囲内の最明色を抽出する（ステップＳ２３）。この最明色の画素値をＭｌｕｍとする。
【００３９】
画素(i,j)が前景の領域内になければ、画素(i,j)の画素値を最明色の画素値Ｍｌｕｍで置き換える（ステップＳ２４，Ｓ２５）。
さもなければ、画素(i,j)の補正を行わない。
【００４０】
すべての画素を処理した場合には、終了する（ステップＳ２６のＹｅｓ）。
まだ処理する画素が存在する場合には（ステップＳ２６のＮｏ）、スキャン順の次の画素を画素(i,j)として、ステップＳ２２から繰り返す（ステップＳ２７）。
【００４１】
各画素に対して、図５のステップＳ２２の前に図４のステップＳ１２からＳ１５を実行するようにして、上述の前景判断と補正処理を同時に実行するようにしてもよい。
【００４２】
図６は、本発明のカラー画像処理装置をコンピュータによって実現するためのハードウェア構成図である。即ち、本実施形態におけるコンピュータは、画像入力装置１、表示装置２、入力装置３、画像印刷装置４、ＣＰＵ（中央処理装置）５、ＲＡＭ６、ＲＯＭ７と媒体駆動装置８をデータバス９で接続している。
【００４３】
先ず、上述した実施形態の各機能をプログラム化してＲＯＭ７へ格納しておく。その上で、このＲＯＭ７に蓄積されたプログラムをＣＰＵ５が読み出して実行することによって、各機能が実行される。
【００４４】
各機能が実行されると、スキャナ、デジタルカメラ等の画像入力装置１から入力されたカラー画像をＲＡＭ６に蓄積し、ＲＡＭ６から読み出されて、一連の処理の結果として裏写り補正された画像が生成され、プリンタ、カラーデジタル複写機等の画像印刷装置４に出力される。
また、この処理の途中経過や途中結果は、ディスプレイ等の表示装置２を通してユーザに提示され、必要な場合には、キーボードやタッチパネルのような入力装置３からユーザが処理に必要なパラメータを入力する。処理の実行中に作られる中間データもＲＡＭ６に蓄積され、必要に応じて、ＣＰＵ５によって読み出し、修正・書き込みが行われる。
【００４５】
尚、上記ではプログラムの記録媒体をＲＯＭ７としているが、他の記録媒体、例えば、半導体媒体（例えば、不揮発性のメモリカード等）、光媒体（例えば、ＤＶＤ−ＲＯＭ、ＭＯ、ＭＤ、ＣＤ−Ｒ等）、磁気媒体（例えば、磁気テープ、フレキシブルディスク等）のいずれであってもよい。
プログラムを上記のような記録媒体へ記録した場合、この記録媒体を媒体駆動装置８に装着して、記憶されたプログラムを読み込み、インストールしたプログラムをＣＰＵ５が実行する。
【００４６】
このように、プログラムを格納した記録媒体から読出されたプログラム自体が上述した実施形態の機能を実現することになり、そのプログラムおよびそのプログラムを記憶した記録媒体も本発明を構成することになる。
【００４７】
また、上述したプログラムをサーバコンピュータの磁気ディスク等の記憶装置に格納しておき、ネットワークで接続されたユーザのコンピュータがダウンロードする場合、またサーバコンピュータから配信等の形式で頒布する場合、このサーバコンピュータの記憶装置も本発明の記録媒体に含まれる。
【００４８】
【発明の効果】
以上説明したように本発明によれば、従来よりも広い裏写りを補正することができる。
また、複数階層の裏写りを正確に補正することができる。
また、高次の補正結果における１画素は、その周囲の情報も含んでいるため、単純に参照範囲を広げるよりも、実装効率が向上する。
【図面の簡単な説明】
【図１】  本発明の一実施形態におけるカラー画像処理装置が適用されたデジタルカラー複写機の構成を示すブロック図である。
【図２】  参照範囲と補正結果の関係を説明するための図である。
【図３】  本発明の裏写り補正処理の処理手順を説明するためのフローチャートである。
【図４】  前景抽出と保護処理の処理手順を説明するためのフローチャートである。
【図５】  参照範囲内における裏写り補正処理の処理手順を説明するためのフローチャートである。
【図６】  本発明のカラー画像処理装置をコンピュータによって実現するためのハードウェア構成図である。
【図７】  複数階層の裏面画像の裏写りが表面画像に生じた例を示す図である。
【符号の説明】
１…画像入力装置、２…表示装置、３…入力装置、４…画像印刷装置、５…ＣＰＵ、６…ＲＡＭ、７…ＲＯＭ、８…媒体駆動装置、９…データバス、１０…画像入力部、２０…前処理部、３０…画像処理部、４０…後処理部、５０…画像出力部。
【図１】
0003865651.tif 000002
【図２】
0003865651.tif 000003
【図３】
0003865651.tif 000004
【図４】
0003865651.tif 000005
【図５】
0003865651.tif 000006
【図６】
0003865651.tif 000007
【図７】
0003865651.tif 000008